(57)【要約】【課題】本考案では、様々な形態や材質のものを容易に製造することができ、バリエーションに富んだ外観形状や特性の有する二層構造の湯たんぽの提供を目的とする。【解決手段】壁部１２，３２を内壁部１５，３５と外壁部１４，３４との二層構造により構成し、上記内壁部１５，３５は、合成樹脂製であるとともに、上記外壁部１４，３４は、金属製であることを特徴とし、上記内壁部１５，３５を、内部空間Ａの有する中空形状に構成し、上記外壁部１４，３４を、上記内壁部１５，３５の上側に装着される上側外壁部材１８，２８，３８と、上記内壁部１５，３５の下側に装着される下側外壁部材１９，２９，３９との二部材により分割して構成した湯たんぽ１１，２１。【選択図】図２
0003127881.tif 000002
【実用新案登録請求の範囲】
【請求項１】
壁部を内壁部と外壁部との二層構造により構成し、
上記内壁部は、合成樹脂製であるとともに、上記外壁部は、金属製であることを特徴とする
湯たんぽ。
【請求項２】
上記外壁部の表面を、平滑面を有して構成し、
上記平滑面に装飾媒体を付した
請求項１に記載の湯たんぽ。
【請求項３】
上記内壁部を、内部空間を有する中空形状に構成し、
上記外壁部を、上記内壁部の上側に装着される上側外壁部材と、上記内壁部の下側に装着される下側外壁部材との二部材により分割して構成した
請求項１、又は、請求項２に記載の湯たんぽ。
【請求項４】
上記外壁部と上記内壁部との間に、中空部を構成した
請求項１から請求項３のうちいずれか１項に記載の湯たんぽ。
【考案の詳細な説明】
【技術分野】
【０００１】
この考案は、壁部が二層構造により構成された湯たんぽに関する。
【背景技術】
【０００２】
湯たんぽの壁部は、通常、一層構造により構成され、その壁部は、プラスチック製、或いは、金属製など１つの材質から構成される。  
ところが、湯たんぽの中には、その付加価値を高めるため、壁部を二層構造により構成しているものも存在する。例えば、下記特許文献１には、このような二層構造により構成した「プラスチック湯たんぽ」が開示されている。
【０００３】
上記特許文献１における「プラスチック湯たんぽ」の壁部は、非発泡プラスチック層と、発泡プラスチック層との積層構造として一体成形され、互いに密着した状態で構成されている。
【０００４】
さらに、発泡プラスチック層が二層構造の外側に位置する場合において、この発泡プラスチック層の形状のみを変更しても、上記発泡プラスチック層は、その材質特性により、一般に、形態保持性が低いため、この発泡プラスチック層のみにより、湯たんぽの外観形状を維持することは、困難であるといわざるを得ない。
【０００５】
よって、外観形状の異なる湯たんぽを製造するには、既存の発泡プラスチック層、或いは、非発泡プラスチック層を転用することができず、二層構造の壁部の外側に位置する上記発泡プラスチック層だけでなく、非発泡プラスチック層も含めて金型などを製造し直す必要がある。  
すなわち、湯たんぽを新たに製造するのと同様の労力、コストを要してしまうことになる。
【０００６】
その結果、形態や材質の異なる湯たんぽを製造しようとすると、コストが嵩んでしまい、デザインや特性のバリエーションが制限され、多様化する顧客の要望を満たすことができないといった課題を有することになる。
【０００７】
【特許文献１】実開昭６０−１５５５１８号公報
【考案の開示】
【考案が解決しようとする課題】
【０００８】
そこで本考案では、様々な形態や材質のものを容易に製造することができ、バリエーションに富んだ外観形状や特性の有する二層構造の湯たんぽの提供を目的とする。
【課題を解決するための手段】
【０００９】
本考案における湯たんぽは、壁部を内壁部と外壁部との二層構造により構成し、上記内壁部は、合成樹脂製であるとともに、上記外壁部は、金属製であることを特徴とすることを特徴とする。
【００１０】
上記合成樹脂材料は、強度に優れたものであれば殊に限定しないが、例えば、高密度ポリエチレンを挙げることができる。
【００１１】
また、金属材料は、例えば、ステンレス、アルミ二ウム、銅、或いは、鉄をはじめとし、スーパーダイマ鋼板などの金属合金やこれら金属にメッキを施したものも含むものとする。
【００１２】
本考案における湯たんぽは、上記外壁部の表面に、平滑面を有して構成し、
上記平滑面に装飾媒体を付して構成することができる。
【００１３】
上記装飾媒体とは、絵、模様、記号、文字、図などをはじめ、これらを組み合わせたものや、単に着色したものも含み、意匠性、視認性を高めることができる媒体を示す。
【００１４】
上記平滑面は、表面に複数の凹凸（リブ）が構成されていない平滑な面を示し、平面だけでなく、滑らかな曲率を有する面を含むものとする。
【００１５】
装飾媒体を付す手段としては、殊に限定しないが、例えば、複数の装飾媒体が描かれたシートを外壁部の表面に押し当ててプリント（印刷）することにより、装飾を施す手段が好ましい。
【００１６】
湯たんぽの外壁部は、断面視湾曲形状をしているものが殆どであり、外壁部が装飾媒体を付し難い金属製である場合は、外壁部の表面に、例えば、ペンなどによって直接、装飾を施す手段よりも、上述したプリントによって装飾媒体を付す手段を適用することによって、外壁部の表面を、容易に、且つ、見栄えよく装飾することができる。
【００１７】
また、平滑面に装飾媒体を付することによって、装飾媒体を正確に、且つ、見栄えよく付することができる。
【００１８】
また、携帯用の小型の湯たんぽの場合は、外壁部の表面に形状変形防止のための凹凸（リブ）を形成する必要性がないため、外壁部の表面に平滑面を確保し易い構成であり、装飾媒体を付すのに殊に適した湯たんぽであるといえる。
【００１９】
本考案の湯たんぽは、上記内壁部は、内部空間を有する中空形状に構成し、上記外壁部を、上記内壁部の上側に装着される上側外壁部材と、上記内壁部の下側に装着される下側外壁部材との二部材に分割して構成したことを特徴とする。
【００２０】
上記構成により、上側外壁部材と下側外壁部材は、それぞれ、例えば、金型などによって成形し易い形態により構成することができる。
【００２１】
上記内壁部と外壁部とを一体化する際にも、内壁部に対して上側外壁部材と下側外壁部材とのそれぞれを上下各側から容易に装着して一体化することができる。
【００２２】
本考案の湯たんぽは、上記外壁部と上記内壁部との間に中空部を構成することが好ましい。
【００２３】
この構成により、上記外壁部と上記内壁部との間に空気断熱層を確保することができるため、低温火傷を防止することができる。さらに、湯の温度の下降速度を緩和して湯たんぽの長時間の利用が可能となる。
【００２４】
さらに、本考案の湯たんぽは、二層構造であるため、一層構造の湯たんぽと比較して、水漏れし難い構成とすることができるなど、二層構造による特有の効果も奏することができる。
【考案の効果】
【００２５】
本考案の湯たんぽは、二層構造による上述した特有の効果を奏することができるのに加え、人体が接触する二層構造の外側に位置する外壁部を、熱伝導性などの特性が種類に応じて大きく異なる金属材料により構成することにより、外壁部の金属材料の種類を変更するだけで、その特性の違いを顕著に著すことができる。  
よって、最小限の労力、コストにより、効率的にバリエーション豊かな様々な湯たんぽを揃えることができる。
【００２６】
また、外壁部の表面に装飾媒体を付すことにより、さらにバリエーションに富み、意匠性に優れた湯たんぽを、例えば、外壁部や内壁部の構成から造り直す必要がなく容易に構成することができる。
【００２７】
また、本考案の湯たんぽは、二層構造の内側には、合成樹脂製の内壁部を有しているため、強度などの観点から外壁部の形状を薄肉に構成することも可能となる。このため、たとえ外壁部が金属製であっても、金属製の壁部で一層構造により構成した通常の湯たんぽと比較して、外壁部の加工性、成形性を格段に向上させることができる。  
従って、バリエーション豊かな様々な湯たんぽを容易に揃えることができる。
【００２８】
その他にも、内部空間に湯が存在する内壁部を合成樹脂材料により構成することにより、防錆性を高めることができ、湯を貯液可能な中空形状であってもブロー成形などにより容易に形成することができるといった効果も奏することができる。
【考案を実施するための最良の形態】
【００２９】
この考案の一実施形態を、以下図面を用いて説明する。  
（第一実施形態）  
第一実施形態における湯たんぽ１１は、図１、及び、図２に示すように構成している。  
なお、図１は、第一実施形態における湯たんぽ１１の外観図を示し、図２は、第一実施形態における湯たんぽ１１の幅方向における中央縦断面図を示している。
【００３０】
上記湯たんぽ１１は、扁平な楕円体の壁部１２を外周に構成し、その内部には、湯を貯液する内部空間Ａを有している。さらに、上記湯たんぽ１１の上面には、上記内部空間Ａと外側とを連通する注湯口部１３が設けられている。
【００３１】
上記壁部１２は、外側に位置する外壁部１４と、内側に位置する内壁部１５との二層構造により構成される。上記外壁部１４は、ステンレス製であり、上記内壁部１５は、合成樹脂製である。また、湯たんぽ１１の壁部１２における外壁部１４と内壁部１５との間には、中空部Ｂが構成されている。本実施形態において、上記中空部Ｂは、外壁部１４と内壁部１５との間における、湯たんぽ１１の上面側部位と底面側部位にのみ構成している。上記中空部Ｂには、空気が充填され、空気層が構成されている。
【００３２】
上記内壁部１５は、ブロー成形により内部空間Ａの有する中空状に図３に示すように成形されている。  
なお、図３は、湯たんぽ１１の内壁部１５の外観図であり、さらに詳しくは、内壁部１５を上記外壁部１４とは別体の状態で示している。
【００３３】
上記内壁部１５は、それ単体でも湯たんぽとして用いるために必要な機能、形態を具備した湯たんぽ本体部材１５Ｘとして構成している。上記内壁部１５の上面に有する上記注湯口部１３は、外側へ突き出した形態で成形される。注湯口部１３には、図３中には、図示していないが、注湯口を閉塞するための栓体１７を取り付け可能に構成している。  
すなわち、上記注湯口部１３の外周には、栓体１７に設けられた雄螺子部１７ｂと螺合可能な雌螺子部１３ｂも一体成形されている。さらに、内壁部１５における上下方向（厚み方向）の中間部位には、その外周に沿って外側へ突き出した内壁小突部１５ａも一体成形されている。
【００３４】
これに対して、上記外壁部１４は、上側外壁部材１８と、下側外壁部材１９との二部材から構成されている。  
上側外壁部材１８の上面と下側外壁部材１９の下面とは、変形防止のため、或いは、デザイン性向上のため、凹凸状に構成されている。
【００３５】
詳しくは、上側外壁部材１８の上面は、緩やかに膨出させた椀状に構成され、さらに、その表面が波状の形態になるよう構成されている。これに対して下側外壁部材１９の底面は、設置台などに設置可能に平坦状に構成され、所定間隔ごとに複数の凹部１９ｃが並設されている。
【００３６】
なお、第一実施形態における湯たんぽは、符号１１を付しているが、以下では、上述した形態、材質により構成した上記外壁部１４を具備した湯たんぽであることを強調する際には、符号１１Ａを付して説明するものとする。
【００３７】
上記外壁部１４における上記注湯口部１３に相当する部位には、開口部１８ｂが構成されている。該開口部１８ｂは、上記内壁部１５において突き出した形態の上記注湯口部１３より一回り大きな口径で開口され、外壁部１４の内側（下側）から外側（上方）へ注湯口部１３が挿通可能に構成されている。
【００３８】
また、上記下側外壁部材１９の上端周縁部には、外側へ向けて突き出した外壁小突部１９ａを形成している。  
なお、上記外壁小突部１９ａは、上記内壁小突部１５ａと略同じ突き出し量で突設している。
【００３９】
上側外壁部材１８の下端周縁部には、上記外壁小突部１９ａ、及び、上記内壁小突部１５ａを一体に嵌め込み可能とする外壁凹部１８ａが形成されている。
【００４０】
上述した構成の湯たんぽ１１は、製造時において上記内壁部１５に対して外側から外壁部１４を装着することにより一体に構成することができる。
【００４１】
このとき、上記外壁小突部１９ａ、及び、上記内壁小突部１５ａは、上記外壁凹部１８ａに一体に嵌合されているため、上側外壁部材１８、下側外壁部材１９、及び、内壁部１５を一体化することができる。  
また、内壁部１５と下側外壁部材１９との間の中空部Ｂには、複数のリブ２２が立設されている。
【００４２】
さらにまた、上記注湯口部１３については、外壁部１４と内壁部１５とを一体化する際に、外壁部１４の開口部１８ｂに挿通され、上記開口部１８ｂの口縁部には、中空部Ｂの防水性を確保すべく、天然ゴムなどにより形成したパッキン２３が取り付けられている。
【００４３】
上述した構成の湯たんぽ１１は、以下のような様々な作用、効果を奏することができる。
【００４４】
例えば、上述した湯たんぽ１１Ａとは、外観形状や特性が異なる湯たんぽ１１Ｂを製造する際には、図４に示すように、湯たんぽ１１Ａの構成に用いるための本体部材１５Ｘ（内壁部１５）を転用することができる。このような本体部材１５Ｘに対して、湯たんぽ１１Ａの構成に用いた上記外壁部１４とは異なる外壁部２４を装着すればよい。  
なお、図４は、湯たんぽ１１Ｂの製造時の一工程の様子を示す説明図であり、符号１１Ｂを付した湯たんぽは、上述した湯たんぽ１１Ａとは、異なるデザイン、特性の有する本実施形態における湯たんぽを示す。
【００４５】
この湯たんぽ１１Ｂの外壁部２４は、銅製であり、その形態についは、下側外壁部２９は、湯たんぽ１１Ａで用いた下側外壁部材１９と同一形態であるが、上側外壁部材２８は、湯たんぽ１１Ａで用いた上側外壁部材１８と異なる形態で構成している。  
さらに詳しくは、上記上側外壁部材２８の形態は、上面が平坦状であり、さらに、この平坦状の上面に、複数の凹部２８ａを並設した形態をしている。
【００４６】
このように、異なるデザイン、特性の有する湯たんぽ１１Ｂを製造する際には、製造時に外壁部のみを異なるデザイン、特性の有する形態、材質のものに変更すればよく、内壁部１５は、湯たんぽ１１Ａで用いたものと同一の形態、材質の本体部材１２Ａを用いることができる。
【００４７】
このように、湯たんぽの本体部分を構成する湯たんぽ本体部材１５Ｘ（内壁部１５）に対して上述とは異なる形態、材質により構成した外壁部２４を装着すればよいため、上述した形態の湯たんぽ１１Ａとは、異なる外観デザインや特性の有する湯たんぽ１１Ｂを、図５、及び、図６に示すように容易に製造することができる。  
なお、図５は、本実施形態の湯たんぽ１１Ｂの外観図を示し、図６は、本実施形態の湯たんぽ１１Ｂの断面図を示している。
【００４８】
従って、従来の湯たんぽは、異なる形態や特性の有するものへ設計変更する際には、内壁部１５を含めた全ての部材から新たに設計するとともに、製造し直す必要が生じてしまうのに対して、本実施形態における湯たんぽ１１は、デザインや特性が異なる湯たんぽ１１Ｂを低コストで容易に構成することができる。
【００４９】
殊に、本実施形態における湯たんぽ１１は、外壁部１４，２４を金属により構成し、内壁部１５を合成樹脂により構成している。ところで、金属は、さらにその金属どうしの中でも材質に応じて、熱伝導性、価格、強度、重量などの特性が大きく異なる。人体に接触し、さらに、外観上の見栄えを決定することになる外壁部１４をこのような金属材料により構成することにより、その金属素材固有の特性の違いを、利用者に対して効果的に実感させることが可能となる。
【００５０】
本実施形態では、ステンレス製の外壁部１４から銅製の外壁部２４に変更した一例について説明したが、利用者は、湯たんぽ１１Ａと湯たんぽ１１Ｂとを使用する場合とにおいて、例えば、外壁部を合成樹脂製、内壁部を金属製で構成した湯たんぽの場合と比較して、この熱伝導率の違いを顕著に実感することができる。
【００５１】
よって、外壁部を変更するだけで、複数の湯たんぽ間での特性の違いも顕著にすることができるため、労力やコストをかけずに用途、使用環境、利用者の要望に応じてバリエーション豊富な湯たんぽを構成することができる。
【００５２】
また、本実施形態における湯たんぽ１１は、上述したように、内壁部１５自体が湯たんぽ本体としての機能、性能を具備して構成されており、このような内壁部１５（湯たんぽ本体部材１５Ｘ）の外側から外壁部１４（，２４）が取り付いた二層構造をしている。このため、外壁部１４（，２４）は、一層構造の場合壁部１２と比較して薄肉に形成するなどして、経済性に優れた構成にすることができる。
【００５３】
よって、外壁部１４（，２４）が金属製であっても、金属製の一層構造の湯たんぽと比較して加工性、成形性を、格段に向上させることができ、デザインなどを変更したものをより手軽に製造することが可能となる。
【００５４】
また、内壁部１５は、合成樹脂により構成されているため、湯に接触する内壁部１５の防錆性を高めることができる。さらにまた、合成樹脂は、基本的に金属と比較して弾性に優れているため、塑性変形し難く、内壁部１５内の内部空間Ａにリブを立設する必要もないといった利点を有する。
【００５５】
その他にも、本実施形態における湯たんぽ１１は、以下のような作用、効果を奏することができる。
【００５６】
また、本実施形態の湯たんぽ１１は、外壁部１４（，２４）と内壁部１５との二層構造であるため、一層構造の湯たんぽと比較して防水性を向上させることができるとともに、耐久性も向上させることができる。
【００５７】
さらに、本実施形態の湯たんぽ１１は、外壁部１４と内壁部１５との間に、中空部Ｂが構成されている。この中空部Ｂに充填された空気層による断熱作用により、低温火傷を防ぐことができるとともに、内部空間Ａに貯液された湯の温度の下降勾配を緩和させることができるといった利点も奏することができる。
【００５８】
以下では、他の実施形態における湯たんぽについて説明する。
【００５９】
但し、以下で説明する湯たんぽの構成のうち、上述した第一実施形態における湯たんぽと同様の構成については、同一の符号を付して、その説明を省略する。
【００６０】
（第二実施形態）  
第二実施形態における湯たんぽ２１は、ポケットなどに入れて携帯が可能に小型に構成している。また、本実施形態の湯たんぽ２１も二層構造であるが、その外壁部３４は、ブリキ製である。
【００６１】
さらに上記湯たんぽ２１は、小型であるため、外壁部３４、及び、内壁部３５は、内部気圧による圧縮変形を考慮する必要がなく、該湯たんぽ２１の外壁部３４の表面は、略全体を滑らかな形状の平滑面を有して構成され、第一実施形態の湯たんぽ１１の外壁部１４のように複数の凹部１９ｃ，２８ａなどの凹凸（リブ）が構成されていない。
【００６２】
上記湯たんぽ２１の殊に上側壁部３８の表面には、例えば、図７に示したような花柄模様といった装飾媒体３３をプリント（印刷）している。このような装飾媒体３３を付すことにより、意匠性、装飾性の優れた外観に構成することができる。
【００６３】
従って、顧客の好みに応じた様々なバリエーション意匠を有する複数の湯たんぽ２１を備えることも可能となる。
【００６４】
殊に、上述した装飾媒体３３を外壁部３４の表面にプリントにより付すことにより、表面が断面視湾曲形状で、且つ、着色し難いブリキ製の外壁部３４であっても、例えば、予め多数の模様が描かれたシート（図示せず）を用意しておけば、このシート中の模様を、湯たんぽ２１の外壁部３４の表面に順次、貼り付けていくだけで装飾性に優れた様々な湯たんぽを大量に生産することができる。
【００６５】
さらに、本実施形態のように湯たんぽ２１のように小型であれば、表面に凹凸（リブ）を形成する必要性がなく、滑らかな表面形状である平滑面に対して装飾を施すことができるため、プリントを行い易く、装飾を施すのに好適である。
【００６６】
また、装飾媒体３３は、上述したように花柄模様に限らず他の模様であってもよく、さらに、人間や動物などのキャラクター、絵、文字、或いは、記号などであってもよい。
【００６７】
さらにまた、本考案における湯たんぽは、上述した実施形態の湯たんぽ１１，２１に限定しない。  
例えば、上述では、外壁部１４，３４の中でも上側外壁部材１８，３８の形態のみを変更した実施形態について説明したが、勿論、上側外壁部材１８，３８と下側外壁部材１９，３９のいずれの側も、或いは、下側外壁部材１９，３９のみの形態、特性を変更することもできる。
【００６８】
さらに例えば、本考案における湯たんぽ１１，２１は、上述したように、内壁部１５，３５、及び、下側外壁部材１９，３９を、上側外壁部材１８，３８により、嵌合して一体化する構成に限らず、螺子やピンによる他の固定手段により一体に構成してもよい。さらには、バックルなどにより、内壁部１５，３５に対して外壁部１４，３４を着脱可能に構成してもよい。
【００６９】
このように本考案における湯たんぽは、様々な形態により構成することができる。  
【図面の簡単な説明】
【００７０】
【図１】第一実施形態における湯たんぽの外観図。
【図２】第一実施形態における湯たんぽの断面図。
【図３】第一実施形態における湯たんぽの内壁部の外観図。
【図４】第一実施形態における湯たんぽの構成説明図。
【図５】第一実施形態における他の湯たんぽの外観図。
【図６】第一実施形態における他の湯たんぽの断面図。
【図７】第二実施形態における湯たんぽの外観図。
【符号の説明】
【００７１】
１１（１１Ａ，１１Ｂ），２１…湯たんぽ
１２，２２，３２…壁部
１３…注湯口部
１４，２４，３４…外壁部
１５，３５…内壁部
１８，２８，３８…上側外壁部
１９，２９，３９…下側外壁部
３３…装飾媒体
Ａ…内部空間
Ｂ…中空部
【図１】
0003127881.tif 000003
【図２】
0003127881.tif 000004
【図３】
0003127881.tif 000005
【図４】
0003127881.tif 000006
【図５】
0003127881.tif 000007
【図６】
0003127881.tif 000008
【図７】
0003127881.tif 000009